(57)【特許請求の範囲】
【請求項１】
支線回線に接続される支線ポート及びリング回線に接続される２つのリングポートを有し、上記リングポートを介して上記リング回線に接続されることによりリング状のネットワークを構成するパケット交換装置において、
上記支線ポートに接続される支線回線終端部、
２つの上記リングポートに各別に接続され、互いに直接に接続可能な２つのリング回線終端部、
上記支線回線終端部と上記リング回線終端部と接続され、上記支線ポートまたは上記リングポートを介して入力されるパケットを中継するパケット交換部、
上記支線回線終端部と上記リング回線終端部と上記パケット交換部に電力を供給する電源部、
及びこの電源部に接続され、停電時には上記電源部に電力を供給する電池部を備え、
上記リング回線終端部には停電かどうかが通知され、非停電時には、上記電源部からの電力を上記支線回線終端部と上記リング回線終端部と上記パケット交換部に供給して、上記パケット交換部を介して上記パケットを中継するとともに、
停電時には、上記電池部から上記電源部に供給される電力を２つの上記リング回線終端部に供給して、２つの上記リング回線終端部の間で直接パケットを中継し、
他のパケット交換装置の支線ポートに接続された試験ツールから、停電時の動作を模擬する指示を受けた場合は、所定期間の間は停電時の動作をし、上記所定期間経過後に自律的に非停電時の動作に戻ることを特徴とするパケット交換装置。
【請求項２】
上記支線回線終端部と上記リング回線終端部と上記パケット交換部を制御するプロセッサ部を備え、
２つの上記リング回線終端部は、上記非停電時から上記停電時への切替えまたは上記停電時から上記非停電時への切替えに際しては、２つの上記リング回線終端部の間で直接パケットを中継する状態である初期状態にされるとともに、
上記プロセッサ部は、上記停電時から上記非停電時への切替えに際しては、上記パケット交換部を介して上記パケットを中継する状態になるように上記支線回線終端部と上記リング回線終端部と上記パケット交換部を制御することを特徴とする請求項１記載のパケット交換装置。
【請求項３】
２つの上記リング回線終端部は、上記非停電時から上記停電時への切替えに際して、上記リングポートへの出力を所定期間停止することを特徴とする請求項１または請求項２記載のパケット交換装置。
【請求項４】
上記電源部は、非停電時に上記電池部を充電することを特徴とする請求項１〜請求項３のいずれかに記載のパケット交換装置。
【発明の詳細な説明】
【技術分野】
【０００１】
この発明は、リング状のネットワークに接続されたパケット交換装置に関するものである。
【背景技術】
【０００２】
ネットワークの信頼性を高める技術として、パケット交換装置をリング状に接続する方法が一般的に知られている。この方法では、ネットワーク上の１台のパケット交換装置が停電等で停止した場合、その他のパケット交換装置は、停止した装置を逆周りに迂回してパケットを中継し、残りのパケット交換装置でネットワークの機能を維持できる。
しかし、ネットワーク上の離れた２台のパケット交換装置が停電等で同時に停止した場合、ネットワークが完全に２つに分割され、残りのパケット交換装置でネットワークの機能を維持できない。
ネットワークの伝送路が光ファイバケーブルである場合に限り、これを解決する技術として、電力供給不要な光バイパスモジュールを使用する方法が提案されている（例えば、特許文献１参照）。
この従来技術によれば、パケット交換装置とリング回線の間に光バイパスモジュールを付加し、パケット交換装置が停電等で停止した場合、光バイパスモジュールが２つのリング回線間をバイパスし、残りのパケット交換装置でネットワークの機能を維持する利点が得られる。
【０００３】
【特許文献１】特開２００５−１２６７７号公報（第５〜９頁、図１）
【発明の開示】
【発明が解決しようとする課題】
【０００４】
従来のパケット交換装置は、以上のように構成されるので、ネットワークの伝送路が光ファイバケーブルの場合に適用できるが、この技術は、ネットワークの伝送路がメタルケーブルの場合に適用できない問題点があった。
さらに、ネットワークの伝送路が光ファイバケーブルの場合でも、光信号は光バイパスモジュールを通過して減衰するため、光送信レベルと光受信レベルの差に余裕がない場合、光バイパスモジュールを通過して減衰した光信号を受信できない問題点があった。
この問題は、停電が広域に渡り、複数のパケット交換装置が連続して停止し、複数の光バイパスモジュールを連続して通過する場合に顕著となる。
【０００５】
この発明は、上記のような問題を解決するためになされたものであり、ネットワークの伝送路がメタルケーブルの場合でも停電時にネットワークの機能を維持できるパケット交換装置を得ることを目的にしている。
【課題を解決するための手段】
【０００６】
この発明に係わるパケット交換装置においては、支線回線に接続される支線ポート及びリング回線に接続される２つのリングポートを有し、リングポートを介してリング回線に接続されることによりリング状のネットワークを構成するパケット交換装置において、支線ポートに接続される支線回線終端部、２つのリングポートに各別に接続され、互いに直接に接続可能な２つのリング回線終端部、支線回線終端部とリング回線終端部と接続され、支線ポートまたはリングポートを介して入力されるパケットを中継するパケット交換部、支線回線終端部とリング回線終端部とパケット交換部に電力を供給する電源部、及びこの電源部に接続され、停電時には電源部に電力を供給する電池部を備え、リング回線終端部には停電かどうかが通知され、非停電時には、電源部からの電力を支線回線終端部とリング回線終端部とパケット交換部に供給して、パケット交換部を介してパケットを中継するとともに、停電時には、電池部から電源部に供給される電力を２つのリング回線終端部に供給して、２つのリング回線終端部の間で直接パケットを中継し、他のパケット交換装置の支線ポートに接続された試験ツールから、停電時の動作を模擬する指示を受けた場合は、所定期間の間は停電時の動作をし、所定期間経過後に自律的に非停電時の動作に戻るものである。
【発明の効果】
【０００７】
この発明は、以上説明したように、支線回線に接続される支線ポート及びリング回線に接続される２つのリングポートを有し、リングポートを介してリング回線に接続されることによりリング状のネットワークを構成するパケット交換装置において、支線ポートに接続される支線回線終端部、２つのリングポートに各別に接続され、互いに直接に接続可能な２つのリング回線終端部、支線回線終端部とリング回線終端部と接続され、支線ポートまたはリングポートを介して入力されるパケットを中継するパケット交換部、支線回線終端部とリング回線終端部とパケット交換部に電力を供給する電源部、及びこの電源部に接続され、停電時には電源部に電力を供給する電池部を備え、リング回線終端部には停電かどうかが通知され、非停電時には、電源部からの電力を支線回線終端部とリング回線終端部とパケット交換部に供給して、パケット交換部を介してパケットを中継するとともに、停電時には、電池部から電源部に供給される電力を２つのリング回線終端部に供給して、２つのリング回線終端部の間で直接パケットを中継し、他のパケット交換装置の支線ポートに接続された試験ツールから、停電時の動作を模擬する指示を受けた場合は、所定期間の間は停電時の動作をし、所定期間経過後に自律的に非停電時の動作に戻るので、ネットワークの伝送路がメタルケーブルの場合でも光ファイバケーブルの場合でも停電時にネットワークの機能を維持できるとともに、他のパケット交換装置の支線ポートに接続された試験ツールから停電時動作の模擬を指示でき、ネットワーク設置時や定期点検時に停電時動作の確認試験を容易化でき、試験費用を削減できる。
【発明を実施するための最良の形態】
【０００８】
実施の形態１．
図１は、この発明の実施の形態１によるパケット交換装置の内部を示すブロック図である。
図１において、第１のパケット交換装置１は、外部に、少なくとも１つの支線ポート２ａ〜２ｎと、２つのリングポート３ａ、３ｂと、装置外部から交流電圧または直流電圧を受ける外部電源端子４を有している。
第１のパケット交換装置１は、内部に、支線ポート２ａ〜２ｎを終端する支線回線終端部５ａ〜５ｎと、リングポート３ａ、３ｂを終端するリング回線終端部６ａ、６ｂと、支線回線終端部５ａ〜５ｎとリング回線終端部６ａ、６ｂが接続され、いずれかのポートに入力されたパケットの宛先を識別して、他のいずれかのポートに中継するパケット交換部７と、外部電源端子４から供給される電圧を基に各部に適合した電圧に変換して供給する電源部８と、外部電源端子４から供給される電圧が低下した場合、代わりに電源部８に電圧を供給する電池部９と、電源部８から支線回線終端部５ａ〜５ｎとパケット交換部７に電圧を供給する第１の電源供給ライン１０と、電源部８からリング回線終端部６ａ、６ｂに電圧を供給する第２の電源供給ライン１１と、電源部８からリング回線終端部６ａ、６ｂに外部電源端子４から供給される電圧が低下したことを通知する停電通知信号線１２を有している。
リング回線終端部６ａ、６ｂの間には、通信線が接続されており、停電通知信号線１２により停電を検出した場合には、リング回線終端部６ａ、６ｂの間で直接にパケットを交換することができる。図１におけるリング回線終端部６ａ、６ｂの間の矢印は、このことを意味している。
【０００９】
図２は、この発明の実施の形態１によるパケット交換装置を含むネットワーク構成を示す構成図である。
図２において、第１のパケット交換装置１ａ〜１ｎは、リングポートを用いてお互いがリング状に接続されてネットワークを構成する。端末装置１３ａ〜１３ｎは、第１のパケット交換装置１ａ〜１ｎの各支線ポートに接続され、第１のパケット交換装置１ａ〜１ｎを通じてお互いにパケットを送受信する。
【００１０】
図３は、この発明の実施の形態１によるパケット交換装置の非停電時のパケット中継経路を示す図である。
図３において、１、２ａ〜２ｎ、３ａ、３ｂ、４、５ａ〜５ｎ、６ａ、６ｂ、７〜１２は図１におけるものと同一のものである。図３では、非停電時のパケット中継経路を太線で示している。
【００１１】
図４は、この発明の実施の形態１によるパケット交換装置の停電時のパケット中継経路を示す図である。
図４において、１、２ａ〜２ｎ、３ａ、３ｂ、４、５ａ〜５ｎ、６ａ、６ｂ、７〜１２は図１におけるものと同一のものである。図４では、停電時のパケット中継経路を太線で示している。
【００１２】
次に、動作について説明する。
図１において、外部電源端子４から第１のパケット交換装置１に電力が供給されている場合、すなわち非停電時、電源部８は、第１の電源供給ライン１０を用いて支線回線終端部５ａ〜５ｎとパケット交換部７に電力を供給し、第２の電源供給ライン１１を用いてリング回線終端部６ａ、６ｂに電力を供給し、停電通知信号線１２を用いてリング回線終端部６ａ、６ｂに非停電であることを通知する。
リング回線終端部６ａ、６ｂは、パケット交換部７を介してパケットを中継する状態になる。その経路を図３に太線で示す。
この結果、第１のパケット交換装置１は、支線ポート２ａ〜２ｎとリングポート３ａ、３ｂのいずれかのポートに入力されたパケットの宛先に応じて、他のいずれかのポートに中継する。
【００１３】
図２で言えば、いずれの箇所も非停電時、例えば端末装置１３ａ→第１のパケット交換装置１ａ→第１のパケット交換装置１ｂ→第１のパケット交換装置１ｃ→端末装置１３ｃの経路で、パケットを中継する場合、第１のパケット交換装置１ｂは、図３に示す経路でパケットを中継する。
【００１４】
次に、図１において、外部電源端子４から第１のパケット交換装置１に電力が供給されていない場合、すなわち停電時、電源部８は、電池部９から供給される電圧を基に第２の電源供給ライン１１を用いてリング回線終端部６ａ、６ｂのみに電力を供給し、停電通知信号線１２を用いてリング回線終端部６ａ、６ｂに停電であることを通知する。
リング回線終端部６ａ、６ｂは、リング回線終端部６ａとリング回線終端部６ｂとの間で直接パケットを中継する状態になる。その経路を図４に太線で示す。
この結果、第１のパケット交換装置１は、リングポート３ａに入力されたパケットをリングポート３ｂに中継し、リングポート３ｂに入力されたパケットをリングポート３ａに中継する。
【００１５】
図２で言えば、第１のパケット交換装置１ｂが停電時、例えば端末装置１３ａ→第１のパケット交換装置１ａ→第１のパケット交換装置１ｂ→第１のパケット交換装置１ｃ→端末装置１３ｃの経路でパケットを中継する場合、第１のパケット交換装置１ｂは、図４に示す経路でパケットを中継する。
なお、自装置の支線ポートに接続された装置へのパケットは破棄する。以下の実施の形態でも、この点は同様である。
【００１６】
実施の形態１によれば、以上のように、第１のパケット交換装置１は、停電時に電力を２つのリング回線終端部６のみに供給して、２つのリング回線終端部６間で直接パケットを中継するため、電池駆動が可能な電力消費を抑えた状態で、ネットワークの機能を維持できる。
また、リング回線終端部６は、電気回路であるため、ネットワークの伝送路がメタルケーブルでも光ファイバケーブルでもよく、柔軟にネットワークを構築できる。
さらに、リング回線終端部６で信号が減衰しないため、複数の第１のパケット交換装置１が広域に渡って連続して停電しても、ネットワークの機能を維持できる。
【００１７】
実施の形態２．
図５は、この発明の実施の形態２によるパケット交換装置の内部を示すブロック図である。
図５において、２ａ〜２ｎ、３ａ、３ｂ、４、５ａ〜５ｎ、６ａ、６ｂ、７〜１１は図１におけるものと同一のものである。図５では、第２のパケット交換装置１４は、Ｓ／Ｗ（ソフトウェア）処理を実行し、支線回線終端部５ａ〜５ｎ、リング回線終端部６ａ、６ｂ、パケット交換部７を適切に設定するプロセッサ部１５と、プロセッサ部１５から各部へ接続されたプロセッサバス１６を有している。
なお、図１の停電通知信号線１２は設けていない。
【００１８】
第２のパケット交換装置１４の動作は、基本的に第１のパケット交換装置１の動作と同じであるため、ここではその差のみについて説明する。
図５において、非停電から停電へ切り替わったとき、電源部８が第２の電源供給ライン１１を用いてリング回線終端部６ａ、６ｂに電力を供給する。その際、一旦電力供給を停止して再開し、リング回線終端部６ａ、６ｂの初期化を促す。
リング回線終端部６ａ、６ｂは、初期状態とされ、リング回線終端部６ａとリング回線終端部６ｂとの間で直接パケットを中継する状態になる。
この結果、第２のパケット交換装置１４は、リングポート３ａに入力されたパケットをリングポート３ｂに中継し、リングポート３ｂに入力されたパケットをリングポート３ａに中継する。
【００１９】
停電から非停電へ切り替わったとき、電源部８が第１の電源供給ライン１０を用いて支線回線終端部５ａ〜５ｎ、パケット交換部７、プロセッサ部１５に電力を供給し、第２の電源供給ライン１１を用いてリング回線終端部６ａ、６ｂに電力を供給する。
その際、一旦電力供給を停止して再開し、リング回線終端部６ａ、６ｂの初期化を促す。リング回線終端部６ａ、６ｂは、初期状態として、リング回線終端部６ａとリング回線終端部６ｂとの間で直接パケットを中継する状態になる。
次に、プロセッサ部１５は、プロセッサバス１６を用いて、支線回線終端部５ａ〜５ｎ、リング回線終端部６ａ、６ｂ及びパケット交換部７を、パケット交換部７を介して支線回線終端部５ａ〜５ｎ、リング回線終端部６ａ、６ｂ間でパケットを中継する状態に設定する。
この結果、第２のパケット交換装置１４は、支線ポート２ａ〜２ｎ、リングポート３ａ、３ｂのいずれかのポートに入力されたパケットの宛先に応じて、他のいずれかのポートに中継する。
【００２０】
実施の形態２によれば、以上のように、第２のパケット交換装置１４では、リング回線終端部６の初期状態を、リング回線終端部６ａとリング回線終端部６ｂとの間で直接パケットを中継する状態としたため、停電時に複雑な処理による状態遷移が不要となり、より電力消費を抑えることがき、停電時により長時間ネットワークの機能を維持できる。
【００２１】
実施の形態３．
実施の形態３における第３のパケット交換装置の内部構成は、図１の第１のパケット交換装置１の内部ブロック図、または図５の第２のパケット交換装置１４の内部ブロック図と同一である。
【００２２】
図６は、この発明の実施の形態３によるパケット交換装置を含むネットワーク構成を示す構成図である。
図６（ａ）は、パケットの中継を停止するブロッキング状態のパケット交換装置がある場合、図６（ｂ）は、停電しているパケット交換装置と、パケットの中継を一時的に停止する状態（リスニング／ラーニング状態と呼ぶ）のパケット交換装置がある場合、図６（ｃ）は、停電しているパケット交換装置と、ブロッキング状態のパケット交換装置がある場合の図である。
図６において、ネットワークは、６台の第３のパケット交換装置１７ａ〜１７ｆと６台の端末装置１３ａ〜１３ｆで構成されている。
【００２３】
第３のパケット交換装置１７の動作は、基本的に第１のパケット交換装置１あるいは第２のパケット交換装置１４の動作と同じであるため、ここではその差のみについて説明する。
例えば、図１において、非停電から停電に切り替わったとき、電源部８は、電池部９から供給される電圧を基に第２の電源供給ライン１１を用いてリング回線終端部６ａ、６ｂのみに電力を供給し、停電通知信号線１２を用いてリング回線終端部６ａ、６ｂに停電であることを通知する。その際、リング回線終端部６ａ、６ｂは、リングポート３ａ、３ｂの出力を例えば１秒間の一定期間停止し、その後リング回線終端部６ａとリング回線終端部６ｂとの間で直接パケットを中継する状態になり出力を再開する。
この結果、ネットワーク上にリング状に接続された他の第３のパケット交換装置１７の迂回動作に関わる状態遷移が促される。
【００２４】
以上の動作を図６のネットワークの構成図を用いて説明する。
図６（ａ）〜図６（ｃ）は、６台の第３のパケット交換装置１７ａ〜ｆと６台の端末装置１３ａ〜ｆで構成されたネットワーク構成図である。
ここでは、第３のパケット交換装置１７が、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１Ｄワーキンググループで規定された冗長経路の迂回方式規格であるＳＴＰ（Ｓｐａｎｎｉｎｇ  Ｔｒｅｅ  Ｐｒｏｔｏｃｏｌ）に従って迂回する例を示す。ＳＴＰでは、パケット交換装置が、お互いに制御パケットを送受信することにより、冗長経路を検出し、遮断する箇所を選出する。
【００２５】
図６（ａ）において、第３のパケット交換装置１７ａ〜１７ｆは、ＳＴＰに従ってパケットの中継を停止する状態（ブロッキング状態）のポートを１箇所選出する。図６（ａ）では、第３のパケット交換装置１７ｄの一方のリングポートがブロッキング状態に選出された例を示す。第３のパケット交換装置１７ａ〜１７ｆのその他のリングポートは、パケットを中継する状態（フォワーディング状態）である。
端末装置１３ａが送信した同報パケットは、図６（ａ）に示す太矢印の経路で端末装置１３ｂ〜１３ｆに中継され、ネットワーク上を無限周回することはない。
【００２６】
図６（ｂ）において、第３のパケット交換装置１７ｄが停電した場合、第３のパケット交換装置１７ｄは、２つのリングポートの出力を、例えば１秒間の一定期間停止する。第３のパケット交換装置１７ｄの両端の第３のパケット交換装置１７ｃ、１７ｅは、リングポートの入力停止を検出し、ＳＴＰに従ってフォワーディング状態からパケットの中継を一時的に停止する状態（リスニングおよびラーニング状態）に遷移する。
例えば１秒間の一定期間経過後、第３のパケット交換装置１７ｄは、リングポートの出力を再開する。第３のパケット交換装置１７ａ〜１７ｃ、１７ｅ、１７ｆは、ＳＴＰに従って、新たなブロッキング状態となるポートを選出する。第３のパケット交換装置１７ｃ、１７ｅは、それまでリスニングおよびラーニング状態を保持する。
端末装置１３ａが送信した同報パケットは、図６（ｂ）に示す太矢印の経路で端末装置１３ｂ、１３ｃ、１３ｅ、１３ｆに中継され、ネットワーク上を無限周回することはない。
【００２７】
図６（ｃ）において、第３のパケット交換装置１７ｅの一方のリングポートが新たなブロッキング状態に選出され、第３のパケット交換装置１７ｃは、フォワーディング状態に遷移する。
端末装置１３ａが送信した同報パケットは、図６（ｃ）に示す太矢印の経路で端末装置１３ｂ、１３ｃ、１３ｅ、１３ｆに中継され、ネットワーク上を無限周回することはない。
【００２８】
実施の形態３によれば、以上のように、第３のパケット交換装置１７ｄは、非停電から停電に切り替わったとき、リングポート３ａ、３ｂの出力を一定期間停止するため、他の第３のパケット交換装置１７の迂回動作に関わる状態遷移を促し、ネットワーク上のパケットの無限周回を防ぐことができ、より信頼性の高いネットワークを構築できる。
【００２９】
実施の形態４．
実施の形態４における第４のパケット交換装置の内部構成は、図１の第１のパケット交換装置１の内部ブロック図、または図５の第２のパケット交換装置１４の内部ブロック図と同一である。
【００３０】
図７は、この発明の実施の形態４によるパケット交換装置を含むネットワーク構成を示す構成図である。
図７において、このネットワークは、第３のパケット交換装置１８ａ〜１８ｎとそれぞれに接続された端末装置１３ａ〜１３ｎとによって構成されている。図７では、パケット交換装置１８ｎに接続された試験ツール１９は、任意の第４のパケット交換装置１８ａ〜１８ｎに対し、停電時の動作を模擬させる指示を行う。
【００３１】
図８は、この発明の実施の形態４による試験ツールの動作を示すフローチャートである。
図９は、この発明の実施の形態４によるパケット交換装置の動作を示すフローチャートである。
【００３２】
第４のパケット交換装置１８の動作は、基本的に第１のパケット交換装置１あるいは第２のパケット交換装置１４の動作と同じであるため、ここではその差のみについて説明する。
図７では、第４のパケット交換装置１８が、ＩＥＥＥ８０２．１７ワーキンググループで規定された冗長経路の迂回方式規格であるＲＰＲ（Ｒｅｓｉｌｉｅｎｔ  Ｐａｃｋｅｔ  Ｒｉｎｇ）の手順に従って迂回する例を示す。ＲＰＲでは、パケット交換装置がお互いに制御パケットを送受信することにより、全てのパケット交換装置の接続順序を常に把握する。
障害を検出したパケット交換装置は他のパケット交換装置に障害位置を通知する。パケット交換装置が支線ポートからリングポートにパケットを中継する際、把握しているパケット交換装置の接続順序と通知された障害位置を基に、右回りの経路と左回りの経路のうち宛先パケット交換装置まで到達可能なリングポートを選択し中継する。
【００３３】
図７において、試験ツール１９は、任意の第４のパケット交換装置１８ａ〜１８ｎに対し、停電時の動作を模擬させる。ここでは、試験ツール１９は、第４のパケット交換装置１８ｎに接続され、遠方の第４のパケット交換装置１８ｂに対し、停電時の動作を模擬させる例を示す。
この停電時の動作を模擬について、図８及び図９により説明を行う。
先ず、試験ツール１９は、第４のパケット交換装置１８ａ〜１８ｎのいずれかに対し、パケット交換装置の接続順序を問い合わせる（図８のステップＳ１）。次いで、試験ツール１９は、第４のパケット交換装置１８ｂに対し、停電時動作の模擬を指示する（図８のステップＳ２）。
次いで、第４のパケット交換装置１８ｂは、停電時動作の模擬を受け付ける（図９のステップＳ１１）。第４のパケット交換装置１８ｂは、２つのリング回線終端部間で直接パケットを中継する状態に移行し（図９のステップＳ１２）、例えば１分間の一定期間その状態を保持する（図９のステップＳ１３）。
【００３４】
次いで、試験ツール１９は、第４のパケット交換装置１８ａ、１８ｃ〜１８ｎのいずれかに対し、パケット交換装置の接続順序を問い合わせ（図８のステップＳ３）、図８のステップＳ１で確認した接続順序から第４のパケット交換装置１８ｂが離脱していることを確認し、１分間待機する（図８のステップＳ４）。離脱していなければ試験結果はＮＧである。
第４のパケット交換装置１８ｂは、１分後、自律的に２つのリング回線終端部をパケット交換部を経由してパケットを中継する状態に移行する（図９のステップＳ１４）。
試験ツール１９は、第４のパケット交換装置１８ａ〜１８ｎのいずれかに対し、パケット交換装置の接続順序を問い合わせ（図８のステップＳ５）、図８のステップＳ１で確認した接続順序と同一であることを確認する。同一であれば、試験結果はＯＫ、異なれば試験結果はＮＧである。
【００３５】
実施の形態４によれば、以上のように、試験ツール１９から遠方の第４のパケット交換装置１８に停電時動作の模擬を指示でき、ネットワーク設置時や定期点検時に停電時動作の確認試験を容易化でき、試験費用を削減できる。
【００３６】
実施の形態５．
図１０は、この発明の実施の形態５によるパケット交換装置の内部を示すブロック図である。
図１０において、２ａ〜２ｎ、３ａ、３ｂ、４、５ａ〜５ｎ、６ａ、６ｂ、７、８、１０〜１２は図１におけるものと同一のものである。図１０では、第５のパケット交換装置２０は、図１の電池部９に代えて蓄電池部２１を有している。
図１０の構成の第５のパケット交換装置２０は、非停電時、電源部８が蓄電池部２１を充電し、停電時、逆に蓄電池部２１が電源部８に放電する。
【００３７】
実施の形態５によれば、以上のように、第５のパケット交換装置２０では、電池部を充電可能な蓄電池としたため、停電と非停電を繰り返しても実施の形態１〜実施の形態４に示す効果を継続して得られる。
【００３８】
なお、本発明は、実施の形態１〜実施の形態５の構成のみに限定されるものではなく、例えば、実施の形態１〜実施の形態５の各構成を適時組み合わせることもでき、発明の趣旨を逸脱しない範囲において、各種の変形を加えることが可能である。
【図面の簡単な説明】
【００３９】
【図１】この発明の実施の形態１によるパケット交換装置の内部を示すブロック図である。
【図２】この発明の実施の形態１によるパケット交換装置を含むネットワーク構成を示す構成図である。
【図３】この発明の実施の形態１によるパケット交換装置の非停電時のパケット中継経路を示す図である。
【図４】この発明の実施の形態１によるパケット交換装置の停電時のパケット中継経路を示す図である。
【図５】この発明の実施の形態２によるパケット交換装置の内部を示すブロック図である。
【図６】この発明の実施の形態３によるパケット交換装置を含むネットワーク構成を示す構成図である。
【図７】この発明の実施の形態４によるパケット交換装置を含むネットワーク構成を示す構成図である。
【図８】この発明の実施の形態４による試験ツールの動作を示すフローチャートである。
【図９】この発明の実施の形態４によるパケット交換装置の動作を示すフローチャートである。
【図１０】この発明の実施の形態５によるパケット交換装置の内部を示すブロック図である。
【符号の説明】
【００４０】
１  第１のパケット交換装置
２  支線ポート
３  リングポート
４  外部電源端子
５  支線回線終端部
６  リング回線終端部
７  パケット交換部
８  電源部
９  電池部
１０  第１の電源供給ライン
１１  第２の電源供給ライン
１２  停電通知信号線
１３  端末装置
１４  第２のパケット交換装置
１５  プロセッサ部
１６  プロセッサバス
１７  第３のパケット交換装置
１８  第４のパケット交換装置
１９  試験ツール
２０  第５のパケット交換装置
２１  蓄電池部
【図１】
0005026920.tif 000002
【図２】
0005026920.tif 000003
【図３】
0005026920.tif 000004
【図４】
0005026920.tif 000005
【図５】
0005026920.tif 000006
【図６】
0005026920.tif 000007
【図７】
0005026920.tif 000008
【図８】
0005026920.tif 000009
【図９】
0005026920.tif 000010
【図１０】
0005026920.tif 000011